(57)【要約】【課題】ユーザーに対して適切に課金する。【解決手段】画像形成装置１００は、受付部５０１、取得部５０２、判定部５０３、及び課金部５０４を備える。受付部５０１は、ユーザーの画像形成装置１００へのログインを受け付ける。取得部５０２は、ログインを受付部５０１が受け付けた場合に、業務情報ＢＪを取得する。判定部５０３は、業務情報ＢＪに基づいて、ユーザーが画像形成装置１００を私的使用するか否かを判定する。課金部５０４は、判定部５０３の判定結果に応じて、ユーザーに対して課金する。業務情報ＢＪは、ログイン時点ＴＬから所定時間経過後の特定時点ＴＡがユーザーの業務時間ＴＷ内であるか否かを示す。ログイン時点ＴＬは、ログインを受付部５０１が受け付けた時点を示す。私的使用するとは、業務と無関係な用途で使用することを示す。【選択図】図３
2019081302.tif 000002
【特許請求の範囲】
【請求項１】
ユーザーの画像形成装置へのログインを受け付ける第１受付部と、
前記ログインを前記第１受付部が受け付けた場合に、業務情報を取得する取得部と、
前記業務情報に基づいて、前記ユーザーが前記画像形成装置を私的使用するか否かを判定する判定部と、
前記判定部の判定結果に応じて、前記ユーザーに対して課金する課金部と
を備え、
前記業務情報は、特定時点が前記ユーザーの業務時間内であるか否かを示し、
前記特定時点は、前記ログインを前記第１受付部が受け付けた時点から所定時間経過後の時点を示し、
前記私的使用とは、業務と無関係な用途で使用することを示す、画像形成装置。
【請求項２】
前記特定時点が前記業務時間内ではないことを前記業務情報が示す場合に、前記判定部は、前記ユーザーが前記画像形成装置を前記私的使用すると判定し、
前記特定時点が前記業務時間内であることを前記業務情報が示す場合に、前記判定部は、前記ユーザーが前記画像形成装置を前記私的使用しないと判定する、請求項１に記載の画像形成装置。
【請求項３】
前記画像形成装置を前記私的使用するか否かを示す操作を受け付ける第２受付部と、
前記第２受付部が受け付けた操作に基づいて、前記ユーザーが前記画像形成装置を前記私的使用するか否かを決定する決定部と
を更に備え、
前記第２受付部が前記画像形成装置を前記私的使用することを示す操作を受け付けた場合には、前記決定部は、前記ユーザーが前記画像形成装置を前記私的使用すると決定し、
前記第２受付部が前記画像形成装置を前記私的使用しないことを示す操作を受け付けた場合には、前記決定部は、前記ユーザーが前記画像形成装置を前記私的使用しないと決定する、請求項１又は請求項２に記載の画像形成装置。
【請求項４】
記録媒体に画像を形成する画像形成部と、
前記課金部が前記ユーザーに対して課金した場合に、課金の対象となる処理が実行された日時と、前記処理に対する課金金額とを含む課金リストを生成する生成部と
を更に備え、
前記画像形成部は、前記課金リストを示す画像を前記記録媒体に形成する、請求項１から請求項３のいずれか１項に記載の画像形成装置。
【請求項５】
管理者からの操作に基づき、前記課金リストを修正する修正部を更に備える、請求項４に記載の画像形成装置。
【請求項６】
ユーザーの画像形成装置へのログインを受け付ける受付ステップと、
前記ログインを受け付けた場合に、業務情報を取得する取得ステップと、
前記業務情報に基づいて、前記ユーザーが前記画像形成装置を私的使用するか否かを判定する判定ステップと、
前記判定ステップでの判定結果に応じて、前記ユーザーに対して課金する課金ステップと
を含み、
前記業務情報は、特定時点が前記ユーザーの業務時間内であるか否かを示し、
前記特定時点は、前記ログインを受け付けた時点から所定時間経過後の時点を示し、
前記私的使用とは、業務と無関係な用途で使用することを示す、画像形成装置が実行する課金方法。
【発明の詳細な説明】
【技術分野】
【０００１】
本発明は、画像形成装置、及び画像形成装置が実行する課金方法に関する。
【背景技術】
【０００２】
特許文献１に記載の画像形成装置は、オフィスに配置され、業務での使用だけでなく、私的な使用も可能とする。画像形成装置は、画像形成装置の空き時間を予測し、私的な使用に適している時間帯を提示する。具体的には、画像形成装置は、ユーザーのスケジュールに基づき、予め定められた条件を満たす時間帯を私的な使用に適している時間帯として選択する。
【先行技術文献】
【特許文献】
【０００３】
【特許文献１】特開２０１７−５５４８号公報
【発明の概要】
【発明が解決しようとする課題】
【０００４】
特許文献１に記載の画像形成装置は、私的な使用を許可するが、私的な使用を許可する場合には、種々の問題が発生する。例えば、ユーザーに対する課金の問題である。
【０００５】
具体的には、私的な使用を行った場合には、ユーザーに対して適正に課金することが好ましい。例えば、私的な目的でコピー処理を行った場合には、コピー枚数、及び用紙サイズに基づき、ユーザーに対して課金することが好ましい。しかしながら、上記画像形成装置では、ユーザーに対して適正に課金することが困難である。
【０００６】
本発明は、上記課題に鑑みてなされたものであり、ユーザーに対して適切に課金可能な画像形成装置、及び画像形成装置が実行する課金方法を提供することを目的としている。
【課題を解決するための手段】
【０００７】
本発明の画像形成装置は、第１受付部、取得部、判定部、及び課金部を備える。前記第１受付部は、ユーザーの画像形成装置へのログインを受け付ける。前記取得部は、前記ログインを前記第１受付部が受け付けた場合に、業務情報を取得する。前記判定部は、前記業務情報に基づいて、前記ユーザーが前記画像形成装置を私的使用するか否かを判定する。前記課金部は、前記判定部の判定結果に応じて、前記ユーザーに対して課金する。前記業務情報は、特定時点が前記ユーザーの業務時間内であるか否かを示す。前記特定時点は、前記ログインを前記受付部が受け付けた時点から所定時間経過後の時点を示す。前記私的使用とは、業務と無関係な用途で使用することを示す。
【０００８】
本発明の画像形成装置が実行する課金方法は、受付ステップ、取得ステップ、判定ステップ、及び課金ステップを含む。前記受付ステップにおいて、ユーザーの画像形成装置へのログインを受け付ける。前記ログインを受け付けた場合に、前記取得ステップにおいて業務情報を取得する。前記判定ステップにおいて、前記業務情報に基づいて、前記ユーザーが前記画像形成装置を私的使用するか否かを判定する。前記課金ステップにおいて、前記判定ステップでの判定結果に応じて、前記ユーザーに対して課金する。前記業務情報は、特定時点が前記ユーザーの業務時間内であるか否かを示す。前記特定時点は、前記ログインを前記受付部が受け付けた時点から所定時間経過後の時点を示す。前記私的使用とは、業務と無関係な用途で使用することを示す。
【発明の効果】
【０００９】
本発明の画像形成装置、及び画像形成装置が実行する課金方法によれば、ユーザーに対して適切に課金できる。
【図面の簡単な説明】
【００１０】
【図１】本発明の実施形態に係る画像形成装置とパーソナルコンピューター及びサーバー装置との接続状態を示す図である。
【図２】本発明の実施形態に係る画像形成装置の構成を示す図である。
【図３】本発明の実施形態に係る制御部の構成を示す図である。
【図４】判定部の処理の一例を示す図である。
【図５】判定部がタッチパネルに表示する選択画面の一例を示す画面図である。（ａ）は、ログイン時点が業務時間内である場合に表示する選択画面の一例を示す画面図である。（ｂ）は、ログイン時点が業務時間内ではない場合に表示する選択画面の一例を示す画面図である。
【図６】課金リストの一例を示す図である。
【図７】制御部の処理の一例を示すフローチャートである。
【図８】制御部の処理の一例を示すフローチャートである。
【発明を実施するための形態】
【００１１】
以下、本発明の実施形態について、図面（図１〜図８）を参照しながら説明する。なお、図中、同一又は相当部分については同一の参照符号を付して説明を繰り返さない。
【００１２】
まず、図１を参照して、本発明の実施形態に係る画像形成装置１００とパーソナルコンピューター２００及びサーバー装置３００との接続状態について説明する。図１に示すように、画像形成装置１００は、ネットワーク４００を介して、複数台のパーソナルコンピューター（ＰＣ）２００及びサーバー装置３００と通信可能に接続される。
【００１３】
画像形成装置１００は、いわゆる、複合機であって、通信機能を有する。画像形成装置１００は、ネットワーク４００を介して、パーソナルコンピューター２００との間で種々の情報の送受信を行う。また、画像形成装置１００は、ネットワーク４００を介して、サーバー装置３００から業務情報ＢＪを取得する。業務情報ＢＪは、本発明の実施形態では、ログイン時点ＴＬがユーザーの業務時間ＴＷ内であるか否かを示す。業務情報ＢＪについては、図３を参照して詳細に説明する。
【００１４】
パーソナルコンピューター２００は、通信機能を有する。複数のパーソナルコンピューター２００は、互いに略同一の構成を有するため、以下の説明においてパーソナルコンピューター２００と総称する場合がある。
【００１５】
サーバー装置３００は、通信機能を有する。また、サーバー装置３００は、ユーザーの「業務管理」を行う。本発明の実施形態では、「業務管理」とは、ユーザーが業務中である時間帯を管理する。例えば、ユーザーがオフィスに入室する際に、ユーザーはユーザーＩＤが記録されたＩＤカードをカードリーダーに読み取らせる。そして、サーバー装置３００は、カードリーダーからユーザーＩＤを取得し、ユーザーが出勤したと判定する。また、ユーザーがオフィスから退出する際にも、ユーザーがＩＤカードをカードリーダーに読み取らせる。そして、サーバー装置３００は、カードリーダーからユーザーＩＤを取得し、ユーザーが退社したと判定する。更に、サーバー装置３００は、出勤時刻から退社時刻までの間の時間のうち、予め設定された昼食時間と休憩時間とを除く時間を業務時間ＴＷとする。サーバー装置３００及びカードリーダーが、いわゆる「業務管理システム」として機能する。
【００１６】
ネットワーク４００は、例えば、ＬＡＮ（Ｌｏｃａｌ  Ａｒｅａ  Ｎｅｔｗｏｒｋ）である。ネットワーク４００は、ＬＡＮに限定されない。ネットワーク４００が、ＷＡＮ（Ｗｉｄｅ  Ａｒｅａ  Ｎｅｔｗｏｒｋ）である形態でもよいし、インターネットである形態でもよい。
【００１７】
次に、図１及び図２を参照して、本発明の実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１８】
図２に示すように、画像形成装置１００は、画像形成ユニット１、画像読取ユニット２、原稿搬送ユニット３、操作パネル４及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーからの操作を受け付ける。制御部５は、画像形成装置１００の動作を制御する。
【００１９】
画像形成ユニット１は、給送部１２、搬送部Ｌ、トナー供給部１３、画像形成部１４、定着部１６及び排出部１７を備える。画像形成部１４は、転写部１５を含む。
【００２０】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００２１】
トナー供給部１３は、画像形成部１４にトナーを供給する。画像形成部１４は、用紙Ｐに画像を形成する。
【００２２】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２３】
定着部１６は、用紙Ｐを加熱及び加圧し、用紙Ｐに形成された画像を用紙Ｐに定着する。排出部１７は、用紙Ｐを画像形成装置１００の外部に排出する。
【００２４】
操作パネル４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２５】
制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００２６】
次に、図１〜図３を参照して、本発明の実施形態に係る制御部５の構成について説明する。図３は、制御部５の構成を示す図である。
【００２７】
図３に示すように、制御部５は、受付部５０１、取得部５０２、判定部５０３、課金部５０４、生成部５０５、修正部５０６及び指示部５０７を備える。具体的には、プロセッサー５１は、制御プログラムを実行することによって、受付部５０１、取得部５０２、判定部５０３、課金部５０４、生成部５０５、修正部５０６及び指示部５０７として機能する。
【００２８】
受付部５０１は、タッチパネル４１、又はパーソナルコンピューター２００を介して、ユーザーの画像形成装置１００へのログインを受け付ける。例えば、受付部５０１は、ユーザーＩＤ情報を受け付ける。受付部５０１は、「第１受付部」及び「第２受付部」の一例に相当する。
【００２９】
取得部５０２は、ユーザーのログインを受付部５０１が受け付けた場合に、「業務情報ＢＪ」を取得する。具体的には、取得部５０２は、サーバー装置３００から「業務情報ＢＪ」を取得する。「業務情報ＢＪ」は、特定時点ＴＡがユーザーの業務時間ＴＷ内であるか否かを示す。特定時点ＴＡは、ログイン時点ＴＬから所定時間経過後の時点を示す。ログイン時点ＴＬは、ログインを受付部５０１が受け付けた時点を示す。本発明の実施形態では、「業務情報ＢＪ」は、ログイン時点ＴＬがユーザーの業務時間ＴＷ内であるか否かを示す。すなわち、特定時点ＴＡは、ログイン時点ＴＬと一致する。所定時間は、０（零）時間を示す。また、業務時間ＴＷとは、ユーザーが業務をすべき時間を示す。
【００３０】
判定部５０３は、業務情報ＢＪに基づいて、ユーザーが画像形成装置１００を「私的使用」するか否かを判定する。「私的使用」とは、業務と無関係な用途で使用することを示す。具体的には、ログイン時点ＴＬが業務時間ＴＷ内ではないことを業務情報ＢＪが示す場合に、判定部５０３は、ユーザーが画像形成装置１００を私的使用すると判定する。また、ログイン時点ＴＬが業務時間ＴＷ内であることを業務情報ＢＪが示す場合に、判定部５０３は、ユーザーが画像形成装置１００を私的使用しないと判定する。判定部５０３は、「判定部」の一例に相当し、「決定部」の一例にも相当する。
【００３１】
課金部５０４は、判定部５０３の判定結果に応じて、ユーザーに対して課金する。具体的には、ユーザーが画像形成装置１００を私的使用すると判定した場合には、課金部５０４は、ユーザーに対して課金する。また、ユーザーが画像形成装置１００を私的使用しないと判定した場合には、課金部５０４は、ユーザーに対して課金しない。更に、課金部５０４は、課金金額ＭＡを算出する。
【００３２】
生成部５０５は、課金部５０４がユーザーに対して課金した場合に、課金リストＬＭを生成する。課金リストＬＭは、課金の対象となる処理が実行された日時ＤＴと、処理に対する課金金額ＭＡとを含む。
【００３３】
修正部５０６は、管理者からの操作に基づき、課金リストＬＭを修正する。具体的には、管理者は、管理者用ＩＤを用いて画像形成装置１００にログインする。例えば、受付部５０１が、パーソナルコンピューター２００を介して、管理者用ＩＤでのログインを受け付けた場合に、修正部５０６は、パーソナルコンピューター２００の操作に基づき、課金リストＬＭを修正する。
【００３４】
指示部５０７は、画像形成部１４を介して、課金リストＬＭを示す画像を用紙Ｐに形成する。
【００３５】
以上、図１〜図３を参照して説明したように、本発明の実施形態では、判定部５０３は、業務情報ＢＪに基づいて、ユーザーが画像形成装置１００を私的使用するか否かを判定する。また、ユーザーが画像形成装置１００を私的使用すると判定部５０３が判定した場合に、課金部５０４がユーザーに対して課金する。したがって、ユーザーに適切に課金できる。
【００３６】
また、管理者からの操作に基づき、修正部５０６は課金リストＬＭを修正する。したがって、ユーザーは、課金リストＬＭが間違っている場合に、課金リストＬＭの修正を管理者に依頼することによって、課金リストＬＭを修正できる。
【００３７】
次に、図２〜図４を参照して、制御部５の構成について更に説明する。図４は、判定部５０３の処理の一例を示す図である。図４には、「時刻Ｔ」、「業務時間ＴＷ」、「画像形成装置１００の使用実績」、及び「判定部５０３の判定結果」の一例を示している。
【００３８】
業務時間ＴＷは、９時から１２時までの時間と、１３時から１８時までの時間とを示す。１２時から１３時までの時間は昼休みを示す。
【００３９】
画像形成装置１００の使用実績に示すように、ユーザーは、以下のように画像形成装置１００を使用している。すなわち、時点Ｔ１においてユーザーが画像形成装置１００にログインし、画像形成装置１００は１００枚のコピージョブＪＢ１を実行している。コピージョブＪＢ１は、画像形成装置１００のコピー機能を使用するジョブＪＢを示す。次に、時点Ｔ２においてユーザーが画像形成装置１００にログインし、画像形成装置１００は１０枚のファクシミリ送信ジョブＪＢ２を実行している。ファクシミリ送信ジョブＪＢ２は、画像形成装置１００のファクシミリ送信機能を使用するジョブＪＢを示す。更に、時点Ｔ３においてユーザーが画像形成装置１００にログインし、画像形成装置１００は３枚のコピージョブＪＢ３を実行している。次に、時点Ｔ４においてユーザーが画像形成装置１００にログインし、画像形成装置１００は５０枚のスキャナージョブＪＢ４を実行している。スキャナージョブＪＢ４は、画像形成装置１００のスキャナー機能を使用するジョブＪＢを示す。また、時点Ｔ５においてユーザーが画像形成装置１００にログインし、画像形成装置１００は３５枚のプリンタージョブＪＢ５を実行している。プリンタージョブＪＢ５は、画像形成装置１００のプリンター機能を使用するジョブＪＢを示す。更に、時点Ｔ６においてユーザーが画像形成装置１００にログインし、画像形成装置１００は５枚のプリンタージョブＪＢ６を実行している。
【００４０】
時点Ｔ１はログイン時点ＴＬであり、且つ時点Ｔ１は業務時間ＴＷ内であるため、判定部５０３は、コピージョブＪＢ１は画像形成装置１００の業務での使用であり、私的使用には該当しないと判定する。また、時点Ｔ２はログイン時点ＴＬであり、且つ時点Ｔ２は業務時間ＴＷ内であるため、判定部５０３は、ファクシミリ送信ジョブＪＢ２は画像形成装置１００の業務での使用であり、私的使用には該当しないと判定する。同様に、時点Ｔ４及び時点Ｔ５の各々はログイン時点ＴＬであり、且つ時点Ｔ４及び時点Ｔ５の各々は業務時間ＴＷ内であるため、判定部５０３は、スキャナージョブＪＢ４及びプリンタージョブＪＢ５の各々が画像形成装置１００の業務での使用であり、私的使用には該当しないと判定する。
【００４１】
一方、時点Ｔ３はログイン時点ＴＬであり、且つ時点Ｔ３は業務時間ＴＷ内ではないため、判定部５０３は、コピージョブＪＢ３が画像形成装置１００の私的使用に該当すると判定する。また、時点Ｔ６はログイン時点ＴＬであり、且つ時点Ｔ６は業務時間ＴＷ内ではないため、判定部５０３は、プリンタージョブＪＢ６が画像形成装置１００の私的使用に該当すると判定する。
【００４２】
以上、図２〜図４を参照して説明したように、本発明の実施形態では、ログイン時点ＴＬが業務時間ＴＷ内ではないことを業務情報ＢＪが示す場合に、判定部５０３は、ユーザーが画像形成装置１００を私的使用すると判定する。一方、ログイン時点ＴＬが業務時間ＴＷ内であることを業務情報ＢＪが示す場合に、判定部５０３は、ユーザーが画像形成装置１００を私的使用しないと判定する。したがって、簡素な構成で、ユーザーが画像形成装置１００を私的使用するか否かを判定できる。
【００４３】
次に、図２〜図５を参照して、制御部５の構成について更に説明する。図５は、判定部５０３がタッチパネル４１に表示する選択画面の一例を示す画面図である。図５（ａ）は、ログイン時点ＴＬが業務時間ＴＷ内である場合に表示する選択画面６００の一例を示す画面図である。
【００４４】
図５（ａ）に示すように、選択画面６００には、選択表示部６１０とキャンセルボタン６２０と、決定ボタン６３０とが表示される。ログイン時点ＴＬが業務時間ＴＷ内であることを業務情報ＢＪが示す場合に、判定部５０３は選択画面６００を表示する。また、ログイン時点ＴＬが業務時間ＴＷ内であるため、判定部５０３は、ユーザーが画像形成装置１００を私的使用しないと判定する。私的使用しないことを、以下の説明では、業務使用すると記載する場合がある。
【００４５】
選択表示部６１０は、ガイダンス表示部６０１、業務使用ボタン６０２及び私的使用ボタン６０３を含む。
【００４６】
判定部５０３が、画像形成装置１００を業務使用すると判定するため、ガイダンス表示部６０１には、「私的使用の場合には、私的使用ボタンをタッチして下さい。」とガイダンスが表示されている。
【００４７】
業務使用ボタン６０２は、業務使用する場合に、ユーザーがタッチするボタンを示す。ユーザーが業務使用ボタン６０２をタッチすると、業務使用ボタン６０２が選択状態になる。図５（ａ）では、判定部５０３が、画像形成装置１００を業務使用すると判定するため、選択画面６００には、業務使用ボタン６０２が選択状態で表示される。図５（ａ）では、業務使用ボタン６０２が選択状態であることを、業務使用ボタン６０２に網掛けを付して記載している。選択画面６００では、業務使用ボタン６０２が選択状態である場合には、業務使用ボタン６０２の表示色を、私的使用ボタン６０３の表示色と異なる色で表示する。例えば、私的使用ボタン６０３を青色で表示し、業務使用ボタン６０２を赤色で表示する。すなわち、選択状態であるボタンを赤色で表示し、選択状態ではないボタンを青色で表示する。
【００４８】
私的使用ボタン６０３は、私的使用する場合に、ユーザーがタッチするボタンを示す。ユーザーが私的使用ボタン６０３をタッチすると、私的使用ボタン６０３が選択状態になる。私的使用ボタン６０３が選択状態になると、例えば、私的使用ボタン６０３を赤色で表示し、業務使用ボタン６０２を青色で表示する。
【００４９】
キャンセルボタン６２０は、ユーザーの選択操作をキャンセルする場合に、ユーザーがタッチするボタンを示す。ユーザーがキャンセルボタン６２０にタッチすると、ユーザーの選択操作がキャンセルされ、選択画面６００が表示される。
【００５０】
決定ボタン６３０は、ユーザーの選択操作を決定する場合に、ユーザーがタッチするボタンを示す。例えば、業務使用ボタン６０２が選択状態である場合に、ユーザーが決定ボタン６３０にタッチすると、判定部５０３が、画像形成装置１００を業務使用すると決定する。一方、私的使用ボタン６０３が選択状態である場合に、ユーザーが決定ボタン６３０にタッチすると、判定部５０３が、画像形成装置１００を私的使用すると決定する。
【００５１】
次に、図５（ｂ）に示す選択画面６５０について説明する。図５（ｂ）は、ログイン時点ＴＬが業務時間ＴＷ内ではない場合に表示する選択画面６５０の一例を示す画面図である。図５（ａ）に示す選択画面６００では業務使用ボタン６０２が選択状態であるのに対して、図５（ｂ）に示す選択画面６５０では私的使用ボタン６６３が選択状態である点で、図５（ｂ）に示す選択画面６５０は図５（ａ）に示す選択画面６００と相違している。以下では、選択画面６５０のうち、選択画面６００と相違する点について主に説明する。
【００５２】
選択画面６５０には、選択表示部６６０と、キャンセルボタン６２０と、決定ボタン６３０とが表示される。判定部５０３は、ログイン時点ＴＬが業務時間ＴＷ内ではないことを業務情報ＢＪが示す場合に、選択画面６５０を表示する。また、ログイン時点ＴＬが業務時間ＴＷ内ではないため、判定部５０３は、ユーザーが画像形成装置１００を私的使用すると判定する。
【００５３】
選択表示部６６０は、ガイダンス表示部６６１、業務使用ボタン６６２及び私的使用ボタン６６３を含む。
【００５４】
判定部５０３が、画像形成装置１００を私的使用すると判定するため、ガイダンス表示部６６１には、「業務使用の場合には、業務使用ボタンをタッチして下さい。」とガイダンスが表示されている。
【００５５】
業務使用ボタン６６２は、業務使用する場合に、ユーザーがタッチするボタンを示す。ユーザーが業務使用ボタン６６２をタッチすると、業務使用ボタン６６２が選択状態になる。業務使用ボタン６６２が選択状態になると、例えば、業務使用ボタン６６２を赤色で表示し、私的使用ボタン６６３を青色で表示する。
【００５６】
私的使用ボタン６６３は、私的使用する場合に、ユーザーがタッチするボタンを示す。ユーザーが私的使用ボタン６６３をタッチすると、私的使用ボタン６６３が選択状態になる。図５（ｂ）では、判定部５０３が、画像形成装置１００を私的使用すると判定するため、選択画面６５０には、私的使用ボタン６６３が選択状態で表示される。図５（ｂ）では、私的使用ボタン６６３が選択状態であることを、私的使用ボタン６６３に網掛けを付して記載している。選択画面６５０では、私的使用ボタン６６３が選択状態である場合には、私的使用ボタン６６３の表示色を、業務使用ボタン６６２の表示色と異なる色で表示する。例えば、私的使用ボタン６６３を赤色で表示し、業務使用ボタン６６２を青色で表示する。
【００５７】
以上、図２〜図５を参照して説明したように、本発明の実施形態では、業務使用から私的使用に修正することを示す修正操作を受付部５０１が受け付けた場合には、判定部５０３は、画像形成装置１００を私的使用すると決定する。業務使用から私的使用に修正することを示す修正操作は、本発明の実施形態では、私的使用ボタン６０３をユーザーがタッチして私的使用ボタン６０３を選択状態にした後、ユーザーが決定ボタン６３０にタッチする操作を示す。また、私的使用から業務使用に修正することを示す修正操作を受付部５０１が受け付けた場合には、判定部５０３は、ユーザーが画像形成装置１００を私的使用しないと決定する。私的使用から業務使用に修正することを示す修正操作は、本発明の実施形態では、業務使用ボタン６６２をユーザーがタッチして業務使用ボタン６６２を選択状態にした後、ユーザーが決定ボタン６３０にタッチする操作を示す。したがって、簡素な構成で、私的使用であるか否かを決定できる。
【００５８】
なお、本発明の実施形態では、受付部５０１が、タッチパネル４１を介して、修正操作を受け付けるが、本発明はこれに限定されない。受付部５０１が、修正操作を受け付ければよい。例えば、受付部５０１が、パーソナルコンピューター２００を介して修正操作を受け付ける形態でもよい。
【００５９】
次に、図２〜図６を参照して、制御部５の構成について更に説明する。図６は、課金リスト７００の一例を示す図である。図６に示すように、課金リスト７００は、氏名表示部７０１、月日表示欄７０２、時刻表示欄７０３、機能表示欄７０４、枚数表示欄７０５、単価表示欄７０６及び金額表示欄７０７を含む。
【００６０】
課金部５０４は、課金リスト７００を生成する。指示部５０７は、画像形成部１４を介して、課金リスト７００を示す画像を用紙Ｐに形成する。課金リスト７００は、課金リストＬＭの一例に相当する。
【００６１】
氏名表示部７０１には、画像形成装置１００を私的使用したユーザーの氏名を示す氏名情報が表示される。
【００６２】
月日表示欄７０２には、画像形成装置１００を私的使用した月日を示す月日情報が表示される。時刻表示欄７０３には、画像形成装置１００を私的使用した時刻を示す時刻情報が表示される。
【００６３】
機能表示欄７０４には、画像形成装置１００を私的使用した時の画像形成装置１００の機能を示す機能情報が表示される。機能情報としては、例えば、４月３日１２時３０分に画像形成装置１００を私的使用した場合には、機能表示欄７０４に「コピー」と表示され、ユーザーが画像形成装置１００のコピー機能を使用したことを示す。また、例えば、４月３日１８時３０分に画像形成装置１００を私的使用した場合には、機能表示欄７０４に「プリンター」と表示され、ユーザーが画像形成装置１００のプリンター機能を使用したことを示す。
【００６４】
枚数表示欄７０５には、枚数情報が表示される。枚数情報は、画像形成装置１００を私的使用した時の画像形成装置１００の処理枚数を示す。例えば、４月３日１２時３０分に画像形成装置１００のコピー機能を私的使用した場合には、枚数表示欄７０５に「３」と表示され、画像形成装置１００が３枚のコピー処理を行ったことを示す。また、例えば、４月３日１８時３０分に画像形成装置１００のプリンター機能を私的使用した場合には、枚数表示欄７０５に「５」と表示され、画像形成装置１００が５枚のプリント処理を行ったことを示す。
【００６５】
単価表示欄７０６には、画像形成装置１００を私的使用した時の１枚当たりの課金金額を示す単価情報が表示される。例えば、４月３日１２時３０分に画像形成装置１００のコピー機能を私的使用した場合には、単価表示欄７０６に「５」と表示され、１枚当たり５円が課金されることを示す。４月３日１８時３０分に画像形成装置１００のプリンター機能を私的使用した場合には、単価表示欄７０６に「４」と表示され、１枚当たり４円が課金されることを示す。
【００６６】
金額表示欄７０７には、画像形成装置１００を私的使用した時の課金金額ＭＡを示す金額情報が表示される。課金金額ＭＡは、１枚当たりの課金金額と処理枚数との積を示す。
【００６７】
以上、図２〜図６を参照して説明したように、本発明の実施形態では、課金部５０４がユーザーに対して課金した場合に、生成部５０５が、課金の対象となる処理が実行された日時ＤＴと、処理に対する課金金額ＭＡとを含む課金リスト７００を生成する。そして指示部５０７は、画像形成部１４を介して、課金リスト７００を示す画像を用紙Ｐに形成する。したがって、ユーザーは、課金リスト７００によって課金の内容を確認できる。
【００６８】
次に、図２〜図８を参照して、制御部５の処理について説明する。図７及び図８は、制御部５の処理の一例を示すフローチャートである。
まず、図７に示すように、ステップＳ１０１において、受付部５０１が、ユーザーの画像形成装置１００へのログインを受け付けたか否かを判定する。
ユーザーの画像形成装置１００へのログインを受け付けていないと受付部５０１が判定した場合（ステップＳ１０１でＮＯ）には、処理が待機状態になる。ユーザーの画像形成装置１００へのログインを受け付けたと受付部５０１が判定した場合（ステップＳ１０１でＹＥＳ）には、処理がステップＳ１０３に進む。
そして、ステップＳ１０３において、取得部５０２が、サーバー装置３００から業務情報ＢＪを取得する。
【００６９】
次に、ステップＳ１０５において、制御部５が、ユーザーからジョブＪＢを受け付けたか否かを判定する。
ユーザーからジョブＪＢを受け付けていないと制御部５が判定した場合（ステップＳ１０５でＮＯ）には、処理が待機状態になる。ユーザーからジョブＪＢを受け付けたと制御部５が判定した場合（ステップＳ１０５でＹＥＳ）には、処理がステップＳ１０９に進む。
そして、ステップＳ１０９において、判定部５０３が、業務情報ＢＪに基づいて、ユーザーが画像形成装置１００を私的使用するか否かを判定する。
【００７０】
ユーザーが画像形成装置１００を私的使用しないと制御部５が判定した場合（ステップＳ１０９でＮＯ）には、処理がステップＳ１１５に進む。
そして、ステップＳ１１５において、受付部５０１が、業務使用から私的使用に修正することを示す修正操作を受け付けたか否かを判定する。
修正操作を受付部５０１が受け付けていないと判定した場合（ステップＳ１１５でＮＯ）には、処理がステップＳ１１７に進む。
そして、ステップＳ１１７において、判定部５０３が、ユーザーが画像形成装置１００を業務使用すると決定し、処理が終了する。
修正操作を受付部５０１が受け付けたと判定した場合（ステップＳ１１５でＹＥＳ）には、処理がステップＳ１１３に進む。
そして、ステップＳ１１３において、判定部５０３が、ユーザーが画像形成装置１００を私的使用すると決定し、処理が図８のステップＳ１１９に進む。
【００７１】
ユーザーが画像形成装置１００を私的使用すると判定部５０３が判定したと制御部５が判定した場合（ステップＳ１０９でＹＥＳ）には、処理がステップＳ１１１に進む。
そして、ステップＳ１１１において、受付部５０１が、私的使用から業務使用に修正することを示す修正操作を受け付けたか否かを判定する。
修正操作を受付部５０１が受け付けたと判定した場合（ステップＳ１１１でＹＥＳ）には、処理がステップＳ１１７に進む。
そして、ステップＳ１１７において、判定部５０３が、ユーザーが画像形成装置１００を業務使用すると決定し、処理が終了する。
修正操作を受付部５０１が受け付けていないと判定した場合（ステップＳ１１１でＮＯ）には、処理がステップＳ１１３に進む。
そして、ステップＳ１１３において、判定部５０３が、ユーザーが画像形成装置１００を私的使用すると決定し、処理が図８のステップＳ１１９に進む。
【００７２】
そして、図８に示すステップＳ１１９において、制御部５が、ジョブＪＢを実行する。
次に、ステップＳ１２１において、制御部５が、ジョブＪＢを実行する際に使用する画像形成装置１００の機能を判定する。
次に、ステップＳ１２３において、課金部５０４が、ジョブＪＢを実行する際に使用する画像形成装置１００の機能に基づいて、ジョブＪＢの単価を決定する。
次に、ステップＳ１２５において、課金部５０４が、課金金額ＭＡを算出する。具体的には、課金金額ＭＡは、ジョブＪＢの単価とジョブＪＢの処理枚数との積を示す。
次に、ステップＳ１２７において、生成部５０５が、課金リストＬＭを生成する。
次にステップＳ１２９において、指示部５０７が、課金リストＬＭを印刷するか否かを判定する。
課金リストＬＭを印刷しないと指示部５０７が判定した場合（ステップＳ１２９でＮＯ）には、処理が終了する。課金リストＬＭを印刷すると指示部５０７が判定した場合（ステップＳ１２９でＹＥＳ）には、処理がステップＳ１３１に進む。
そして、ステップＳ１３１において、指示部５０７が、画像形成部１４を介して、課金リストＬＭを示す画像を用紙Ｐに形成し、処理が終了する。
【００７３】
ステップＳ１０１が「受付ステップ」の一例に相当する。ステップＳ１０３が「取得ステップ」の一例に相当する。ステップＳ１０９が「判定ステップ」の一例に相当する。ステップＳ１２５が「課金ステップ」の一例に相当する。
【００７４】
以上、図２〜図８を参照して説明したように、本発明の実施形態では、課金部５０４が、ジョブＪＢを実行する際に使用する画像形成装置１００の機能に基づいて、ジョブＪＢの単価を決定する。また、課金部５０４が、ジョブＪＢの単価にジョブＪＢの処理枚数を乗じて課金金額ＭＡを算出する。したがって、課金部５０４が適正な課金金額ＭＡを算出できる。
【００７５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７６】
（１）図１〜図３を参照して説明したように、本発明の実施形態では、業務情報ＢＪは、ログイン時点ＴＬがユーザーの業務時間ＴＷ内であるか否かを示すが、本発明はこれに限定されない。業務情報ＢＪは、ログインから所定時間経過後の特定時点ＴＡが業務時間ＴＷ内であるか否かを示せばよい。業務情報ＢＪが、例えば、ジョブＪＢの開始時点がユーザーの業務時間ＴＷ内であるか否かを示す形態でもよい。この形態では、ジョブＪＢの開始時点が特定時点ＴＡに相当する。また、業務情報ＢＪが、例えば、ジョブＪＢの終了時点がユーザーの業務時間ＴＷ内であるか否かを示す形態でもよい。この形態では、ジョブＪＢの終了時点が特定時点ＴＡに相当する。
【００７７】
（２）図１〜図３を参照して説明したように、本発明の実施形態では、受付部５０１が、ユーザーＩＤ情報を受け付けてユーザーの画像形成装置１００へのログインを受け付けるが、本発明はこれに限定されない。受付部５０１が、ユーザーの画像形成装置１００へのログインを受け付ければよい。受付部５０１が、ユーザーＩＤ情報とパスワード情報とを受け付けてユーザーの画像形成装置１００へのログインを受け付ける形態でもよい。
【００７８】
（３）図２〜図８を参照して説明したように、本発明の実施形態では、判定部５０３が業務情報ＢＪに基づいてユーザーが画像形成装置１００を私的使用するか否かを判定し、修正操作に基づいてユーザーが画像形成装置１００を私的使用するか否かを決定するが、本発明はこれに限定されない。判定部５０３が業務情報ＢＪに基づいて、ユーザーが画像形成装置１００を私的使用するか否かを判定すればよい。例えば、判定部５０３が、修正操作に基づいてユーザーが画像形成装置１００を私的使用するか否かを決定する処理を実行しない形態でもよい。この形態では、制御部５の処理を簡略化できる。また、例えば、判定部５０３が、修正操作に基づいてユーザーが画像形成装置１００を私的使用するか否かを決定する処理を実行するか、実行しないかを選択可能に構成されている形態でもよい。この形態では、ユーザーの利便性を更に向上できる。
【産業上の利用可能性】
【００７９】
本発明は、画像形成装置、及び画像形成装置が実行する課金方法の分野に利用可能である。
【符号の説明】
【００８０】
１００    画像形成装置
１    画像形成ユニット
１４    画像形成部
２    画像読取ユニット
３    原稿搬送ユニット
４    操作パネル
４１    タッチパネル
５    制御部
５１    プロセッサー
５２    記憶部
５０１    受付部（第１受付部、第２受付部）
５０２    取得部
５０３    判定部（決定部）
５０４    課金部
５０５    生成部
５０６    修正部
５０７    指示部
２００    パーソナルコンピューター
３００    ネットワーク
ＢＪ    業務情報
ＪＢ    ジョブ
ＭＡ    課金金額
ＬＭ    課金リスト
ＴＡ    特定時点
ＴＬ    ログイン時点
ＴＷ    業務時間
【図１】
2019081302.tif 000003
【図２】
2019081302.tif 000004
【図３】
2019081302.tif 000005
【図４】
2019081302.tif 000006
【図５】
2019081302.tif 000007
【図６】
2019081302.tif 000008
【図７】
2019081302.tif 000009
【図８】
2019081302.tif 000010